(57)【要約】【課題】強度及び耐久性に優れ、メンテナンスが容易であると共に、波浪が高い海域でも使用することが可能な防護ネットを備える増殖礁を提供する。【解決手段】周縁部に比べて中央部が上方に突出する台座１３を有し、台座１３の上部が藻類又は珊瑚の生育場及び／又は増殖場とされる下部構造体１１と、柱部１５及び梁部１６から構成される骨組構造からなり、該骨組構造の基礎部位１２ａが台座１３の基部１３ａに嵌合される上部構造体１２と、上部構造体１２に設けられた開口部１７ごとに設置され、開口部１７を覆う合成樹脂製の防護ネット１９とを備え、防護ネット１９の周縁部を上部構造体１２に密着させるＦＲＰ製のフラットバー２０と、フラットバー２０を上部構造体１２に固定するノブボルト２２により、防護ネット１９が上部構造体１２に着脱可能に装着されている。【選択図】図２
2011135827.tif 000002
【特許請求の範囲】
【請求項１】
周縁部に比べて中央部が上方に突出する台座を有し、該台座の上部が藻類又は珊瑚の生育場及び／又は増殖場とされる下部構造体と、柱部及び梁部から構成される骨組構造からなり、該骨組構造の基礎部位が前記台座の基部に嵌合される上部構造体と、前記上部構造体に設けられた開口部ごとに設置され、該開口部を覆う合成樹脂製の防護ネットとを備え、
前記防護ネットの周縁部を前記上部構造体に密着させるＦＲＰ製のフラットバーと、前記フラットバーを前記上部構造体に固定するノブボルトにより、前記防護ネットが前記上部構造体に着脱可能に装着されていることを特徴とする増殖礁。
【請求項２】
請求項１記載の増殖礁において、前記防護ネットと前記フラットバーが一体化されていることを特徴とする増殖礁。
【請求項３】
請求項１又は２記載の増殖礁において、前記台座の上部が該台座の中央に向けて上方に高くなる階段状とされていることを特徴とする増殖礁。
【請求項４】
請求項１〜３のいずれか１項に記載の増殖礁において、前記防護ネットを構成する線材の太さが３ｍｍ〜７ｍｍ、且つ該防護ネットの目合いが５０ｍｍ〜１００ｍｍであることを特徴とする増殖礁。
【発明の詳細な説明】
【技術分野】
【０００１】
本発明は、藻類又は珊瑚の生育及び／又は増殖に使用される増殖礁に関する。
【背景技術】
【０００２】
近年、日本各地の海岸において、海岸に生息するコンブやワカメなどの藻類が減少して不毛の状態となる「磯焼け」という現象が発生し、生態系に深刻な影響を及ぼしている。磯焼けの原因としては、海流の変化や藻食動物（アイゴやウニなど）による食害、さらには大量の河川水や砂泥の流入などが考えられているが、海岸の環境汚染により藻類の光合成作用が不活発となり磯焼けが発生するのではないかと推察される海域もある。
【０００３】
このような磯焼け問題に対し、健全な藻場を造成することを目的として、主に藻類を生育又は増殖させる藻場増殖部を備えた増殖礁が開発されている（例えば特許文献１参照）。しかし、従来の増殖礁を使用した場合、魚類による食害、即ち生育又は増殖した藻類が魚類に齧られるという問題があった。そこで、特許文献２では、藻類や水産資源を生育又は増殖させる増殖部と、該増殖部を支持する台座とを具備し、海底に沈設される増殖礁において、増殖部を保護するために用いられる防護ネット装置の考案が開示されている。
【先行技術文献】
【特許文献】
【０００４】
【特許文献１】特開２００３−４７３６３号公報
【特許文献２】実用新案登録第３１０９４４７号公報
【発明の概要】
【発明が解決しようとする課題】
【０００５】
しかしながら、特許文献２に記載されている防護ネット装置の場合、防護ネットが化繊製のロープとされているので、波浪が高い海域では、防護ネットが破断するおそれがある。また、藻類の着生によって防護ネットが目詰まりした際、防護ネットの強度及び耐久性が低いため、防護ネットの清掃が難しく、防護ネット全体を取り替えなければならない。そのため、メンテナンス費用が掛かるという問題がある。
【０００６】
本発明はかかる事情に鑑みてなされたもので、強度及び耐久性に優れ、メンテナンスが容易であると共に、波浪が高い海域でも使用することが可能な防護ネットを備える増殖礁を提供することを目的とする。
【課題を解決するための手段】
【０００７】
上記目的を達成するため、本発明に係る増殖礁は、周縁部に比べて中央部が上方に突出する台座を有し、該台座の上部が藻類又は珊瑚の生育場及び／又は増殖場とされる下部構造体と、柱部及び梁部から構成される骨組構造からなり、該骨組構造の基礎部位が前記台座の基部に嵌合される上部構造体と、前記上部構造体に設けられた開口部ごとに設置され、該開口部を覆う合成樹脂製の防護ネットとを備え、前記防護ネットの周縁部を前記上部構造体に密着させるＦＲＰ製のフラットバーと、前記フラットバーを前記上部構造体に固定するノブボルトにより、前記防護ネットが前記上部構造体に着脱可能に装着されていることを特徴としている。
【０００８】
本発明では、強度及び耐久性に優れる合成樹脂製の防護ネットを使用しているので、海中で防護ネットを清掃しても防護ネットが破断することがなく、また波浪が高い海域でも使用することができる。さらにまた、手回し式のノブボルトを用いて、上部構造体の構面に設けられた開口部ごとに防護ネットを装着するようにしているので、工具を使用せずに容易に防護ネットを上部構造体に取り付けたり取り外したりすることができる。ここで、構面とは、並設する２本の柱部と当該柱部間に架設される２本の梁部によって構成される面、若しくは、複数の梁部によって構成される面（例えば、天井面）のことである。
加えて、藻類又は珊瑚の生育場及び／又は増殖場とされる台座の基部に上部構造体の基礎部位を嵌合するようにしているので、増殖礁の組立及び解体を容易に行うことができる。
【０００９】
また、本発明に係る増殖礁では、前記防護ネットと前記フラットバーが一体化されていても良く、これにより、防護ネットの着脱が容易となる。
【００１０】
また、本発明に係る増殖礁では、前記台座の上部が該台座の中央に向けて上方に高くなる階段状とされていることが好ましい。
藻類は、突起物に付着して繁殖するという性質がある。当該構成では、この性質を利用し、台座の上部を階段ピラミッド状として多くの角部（突起部）を設けることにより、藻類が繁殖しやすいようにしている。
【００１１】
また、本発明に係る増殖礁では、前記防護ネットを構成する線材の太さが３ｍｍ〜７ｍｍ、且つ該防護ネットの目合いが５０ｍｍ〜１００ｍｍであることが好ましい。
防護ネットを構成する線材の太さが３ｍｍ未満の場合、強度不足となって破断しやすくなり、線材の太さが７ｍｍを超えると、線材に藻類が付着しやすくなって目詰まりの原因となる。一方、防護ネットの目合いが５０ｍｍ未満の場合、目詰まりしやすく、目合いが１００ｍｍを超えると、魚類が防護ネットを通過しやすくなるため好ましくない。
【発明の効果】
【００１２】
本発明に係る増殖礁では、強度及び耐久性に優れる合成樹脂製の防護ネットを使用しているので、海中で防護ネットを清掃しても防護ネットが破断することがなく、また波浪が高い海域でも使用することができる。さらにまた、手回し式のノブボルトを用いて、上部構造体の構面に設けられた開口部ごとに防護ネットを装着するようにしているので、工具を使用せずに容易に防護ネットを上部構造体に取り付けたり取り外したりすることができる。
【図面の簡単な説明】
【００１３】
【図１】本発明の一実施の形態に係る増殖礁の斜視図である。
【図２】同増殖礁の分解斜視図である。
【図３】防護ネット周縁部の部分詳細図である。
【図４】増殖礁の一使用形態を説明するための模式図である。
【図５】増殖礁の他の使用形態を説明するための模式図である。
【発明を実施するための形態】
【００１４】
続いて、添付した図面を参照しつつ、本発明を具体化した実施の形態につき説明し、本発明の理解に供する。なお、以下では、藻類を例に採り説明するが、珊瑚の場合も同様である。
【００１５】
本発明の一実施の形態に係る増殖礁１０は、上部が藻類の生育場及び／又は増殖場となる台座１３を有し、海底に接地される下部構造体１１と、台座１３の上部空間を画成する上部構造体１２とから概略構成されている（図１及び図２参照）。
【００１６】
上部構造体１２は、柱部１５と梁部１６により六角柱状に構成された鉄筋コンクリート製の骨組構造からなり、該骨組構造の基礎部位１２ａは、台座１３の基部１３ａに嵌合して下部構造体１１と一体化される。
【００１７】
下部構造体１１はコンクリート製とされ、平面視して正六角形状とされている。下部構造体１１の上部は、周縁部に比べて中央部が上方に突出する台座１３とされている。台座１３も平面視して正六角形状とされ、台座１３の中央に向けて上方に高くなる階段ピラミッド状となっている。台座１３の最下段となる基部１３ａは、上部構造体１２の基礎部位１２ａが嵌合するため、段の高さが他の段より高くなっている。
【００１８】
一方、下部構造体１１の底面には、海底条件によって決定される高さを有する脚部１４が設けられている。なお、脚部１４から下部構造体１１の直下に進入した波によって増殖礁１０が浮き上がらないようにするため、平面視して台座１３の中心部には、下部構造体１１を上下に貫通する貫通孔１３ｂが設けられている。これにより、下部構造体１１の直下に進入した波は貫通孔１３ｂから上方へ流出し、下部構造体１１の底面に上向きの力が作用することはない。また、貫通孔１３ｂから増殖礁１０内に魚類が侵入しないように、台座１３の頂部は合成樹脂製の防護ネット２６によって覆われている。
【００１９】
台座１３の基部１３ａの外側周囲には、下部構造体１１を上下に貫通するボルト孔１１ａが設けられると共に、上部構造体１２の基礎部位１２ａの底面には、雌ネジ部（図示省略）が形成されており、下部構造体１１のボルト孔１１ａに下部構造体１１の底面側からボルト（図示省略）を挿入して上部構造体１２の雌ネジ部に螺挿することにより、上部構造体１２と下部構造体１１を一体化する。
【００２０】
また、上部構造体１２の各構面ごとに設けられた開口部１７には、着脱式の防護ネット１９が装着されている。各防護ネット１９は一つの開口部１７を覆う広さとされ、格子状に組まれた合成樹脂製の線材１９ａから構成されている。合成樹脂としては、強度及び耐久性に優れるものが良く、例えばポリプロピレン樹脂などが好適である。また、防護ネット１９を構成する線材１９ａの太さは３ｍｍ〜７ｍｍ程度、防護ネット１９の目合いは５０ｍｍ〜１００ｍｍ程度が好ましい。
【００２１】
各防護ネット１９の周縁部には、ＦＲＰ（繊維強化プラスチック）製の枠体からなりボルト孔２１を有するフラットバー２０が固着されている。具体的には、図３に示すように、防護ネット１９を構成する各線材１９ａの端部を覆うＦＲＰ製の接合部２０ａを介して、フラットバー２０と防護ネット１９が一体化されている。
【００２２】
防護ネット１９を上部構造体１２に装着する場合は、各開口部１７を覆うように防護ネット１９をセットし、フラットバー２０に設けられたボルト孔２１に、手回し式のノブボルト２２を挿入する。そして、上部構造体１２の柱部１５及び梁部１６に設けられた雌ネジ部１８にノブボルト２２を螺挿し、フラットバー２０を介して防護ネット１９を上部構造体１２に固定する。
なお、防護ネット１９を上部構造体１２から取り外す場合は、ノブボルト２２を緩めて防護ネット１９をフラットバー２０ごと上部構造体１２から取り外せばよい。また、複数の防護ネットで一つの開口部を覆うようにしてもよい。
【００２３】
次に、上記構成を有する増殖礁１０の使用方法について説明する。
図４に、増殖礁１０の一使用形態を示す。先ず、藻類Ｗが着床した増殖プレート２３を台座１３の各段に設置する。増殖プレート２３は、藻類Ｗの胞子が付着した種糸２４を矩形状のプレートの表面に配設したものである。そして、上部構造体１２を下部構造体１１上にセットしてボルトで一体化した後、増殖礁１０を海底に沈設する。
藻類Ｗは成長と共に台座１３に形成された階段ピラミッドの角部に付着し繁殖する。
なお、珊瑚の場合は、珊瑚を着床させた着床具（図示省略）を台座１３の各段に設置すればよい。
【００２４】
図５は、他の使用形態を示したものである。本形態では増殖プレート２３を使用せず、藻類Ｗの胞子が付着した種糸２５を台座１３の各段に網目状に配設する。
【００２５】
以上、本発明の一実施の形態について説明してきたが、本発明は何ら上記した実施の形態に記載の構成に限定されるものではなく、特許請求の範囲に記載されている事項の範囲内で考えられるその他の実施の形態や変形例も含むものである。例えば、上記実施の形態では、増殖礁、即ち上部構造体及び下部構造体を平面視して六角形としているが、四角形や五角形など他の多角形でもよいことは言うまでもない。また、上記実施の形態では、防護ネットの網の目を格子状としているが、六角形など他の形状でもよい。さらには、上記実施の形態では、防護ネットとフラットバーを一体化したものを使用したが、防護ネットとフラットバーを別体としても良い。
【符号の説明】
【００２６】
１０：増殖礁、１１：下部構造体、１１ａ：ボルト孔、１２：上部構造体、１２ａ：基礎部位、１３：台座、１３ａ：基部、１３ｂ：貫通孔、１４：脚部、１５：柱部、１６：梁部、１７：開口部、１８：雌ネジ部、１９：防護ネット、１９ａ：線材、２０：フラットバー、２０ａ：接合部、２１：ボルト孔、２２：ノブボルト、２３：増殖プレート、２４、２５：種糸、２６：防護ネット、Ｗ：藻類
【図１】
2011135827.tif 000003
【図２】
2011135827.tif 000004
【図３】
2011135827.tif 000005
【図４】
2011135827.tif 000006
【図５】
2011135827.tif 000007